(57)【特許請求の範囲】
【請求項１】
上部開放の箱形に形成した商品陳列部の四周上部を風防透明板で囲うと共に、一側に冷気を他側に向かって吹き出す冷気吹出口を、他側に冷気吸込口を有する平型オープンショーケースにおいて、
前記冷気吸込口を、その上部位置の上下方向の開口部を外板を折曲げて遮断し、該外板の折曲部先端と内板の上端との間に形成される水平方向の開口部から冷気を吸い込むようにした吸込口キットで構成し、
該吸込口キットは、逆Ｌ字状の外板と平板状の内板を、それらの間の数箇所をスペーサで固着して形成してなり、内板の下端は、ケースに設けられた固定レールに差し込み可能に外板より下方に長く形成し、
かつ、ケースに設けられた前記固定レール下部の仕切板に、冷気吸い込み用のパンチング孔を穿設してなることを特徴とする平型オープンショーケース。
【発明の詳細な説明】
【０００１】
【発明の属する技術分野】
本発明は、上部開放の箱形に形成した商品陳列部の四周上部を風防透明板で囲った平型オープンショーケースであって、特にその冷気吸込口を改良した平型オープンショーケースに関する。
【０００２】
【従来の技術】
スーパーマーケットなどのセルフサービス方式の食品販売店では、冷蔵食品や冷凍食品等の陳列に、上部を開放した平型の冷凍・冷蔵オープンショーケースがよく用いられている。
【０００３】
図４及び図５はその一例を示すもので、平型のオープンショーケース２１は、上部が開放したの箱形の商品陳列部２２と、該商品陳列部２２を適度な高さに保持する台座部２３とから構成されており、台座部２３内には、冷凍機構成機器３５が収納されている。また、商品陳列部２２四周の側壁２４は、上部の風防板がガラス等の透明板２４ａで、下部が断熱機能を有するパネル２４ｂで形成されており、透明板２４ａの上端部及び両側端部は、四隅部に設けられた支柱２５と上部レール２６とにより保持されている。
【０００４】
更に、商品陳列部２２の底板部２２ａは、二重構造に形成されており、冷却器２７と送風機２８とを備えた冷気の循環ダクト２９が設けられている。この循環ダクト２９の両端は、冷気吹出口３０と冷気吸込口３１とに連通しており、冷却器２７で冷却された空気は、冷気吹出口３０から商品陳列部２２内に吹出して商品陳列部内を所定の冷却温度に保持し、冷気吸込口３１から循環ダクト２９内に吸い込まれて、送風機２８の作用でこの経路を循環する。
【０００５】
そして、従来の冷気吹出口３１は、側壁内面に平行に立設したアクリル等の透明合成樹脂等の透明材料からなる吸込口フェンス３３と側壁２４との間に形成された冷気通路３４の上端に、上方が開口した状態で設けられている。
【０００６】
【発明が解決しようとする課題】
ところで、従来の冷気吸込口３１は、上下方向の上方が開口部となっているため、冷気の吸い込み時、湿度が高い外気を巻き込んで侵入させてしまい、冷却器２７に霜が多量に付くという問題点があった。
従って、デフロストに時間を要し、冷却持続時間が少なくなってしまっていた。
また、従来の吸込口フェンス３３は、吸込口パンチング孔直下の吸込口ダクトと商品陳列部の間の仕切板にネジ止めされていたため、簡単に取り外すことができず、吸込口近傍のゴミ等の清掃がし難かった。
更に、ケースの冷却運転が進行し、正規の吸込口パンチング孔が霜で目詰まりした時、この吸込口パンチング孔から冷気が吸い込まれなくなり、冷却器に冷気の風が流れなくなり、低圧カットが頻繁に起こってケースの運転が停止してしまう問題があった。
【０００７】
本発明は上記の点に鑑み創案されたもので、外気の侵入を極力抑え、冷却器のデフロスト時間を少なくすると共に、冷気吸込口の着脱が容易でゴミ等の清掃が簡単であり、かつ、ケースの冷却運転が進行して、吸込口パンチング孔が霜で目詰まりしても低圧カットが生じないようにした平型のオープンショーケースを提供することを目的とする。
【０００８】
【課題を解決するための手段】
上記の課題を解決するため、本発明においては、上部開放の箱形に形成した商品陳列部の四周上部を風防透明板で囲うと共に、一側に冷気を他側に向かって吹き出す冷気吹出口を、他側に冷気吸込口を有する平型オープンショーケースにおいて、前記冷気吸込口を、その上部位置の上下方向の開口部を外板を折曲げて遮断し、該外板の折曲部先端と内板の上端との間に形成される水平方向の開口部から冷気を吸い込むようにした吸込口キットで構成し、該吸込口キットは、逆Ｌ字状の外板と平板状の内板を、それらの間の数箇所をスペーサで固着して形成してなり、内板の下端は、ケースに設けられた固定レールに差し込み可能に外板より下方に長く形成し、かつ、ケースに設けられた前記固定レール下部の仕切板に、冷気吸い込み用のパンチング孔を穿設してなることを特徴としている。
【０００９】
上記構成を採用したことにより、上方向から吸い込まれようとする外気を極力抑えて、水平方向，下部方向から吸い込まれる冷気を多くすることができ、外気に比べ湿度の低い空気が流れ込むため、冷却器に霜が付きにくく、冷却持続が延びる。また、前記ケースの固定レール下部の仕切板に、冷気吸い込み用のパンチング孔を穿設したので、正規の吸込口パンチング孔が目詰まりした場合でも、この仕切板のパンチング孔から冷気を吸い込むことができ好適である。
【００１０】
【発明の実施の形態】
以下、本発明の好ましい実施の形態を図面に基づいて説明する。図１は本発明の平型オープンショーケースの断面側面図、図２は本発明の平型オープンショーケースの冷気吸込口の構造を示す一部断面側面図、図３は同じく冷気吸込口の構造を示す分解斜視図である。なお、従来と同一構成部材には同符号を付し説明は省略する。
【００１１】
図１乃至図３に示すように、本発明の平型オープンショーケース１の透明な冷気吸込口２の構造は、風防透明板３とは別体となり、平板状の内板２ａと逆Ｌ字状の外板２ｂとの間に、アクリル等の透明な合成樹脂のスペーサ２ｃ，２ｃ・・・で、数箇所固着されキット２Ｋ化されて形成されている。このスペーサ２ｃを固着する手段としては、接着、溶着、ビス止め等の手段が考えられる。
そして、該キット２Ｋは、従来の冷気吸込口の上部位置の上下方向の開口部を外板２ｂの折曲部で遮断し、外板２ｂの折曲部先端と内板２ａの上端との間に形成される水平方向の開口部４から冷気を吸い込むようにしている。
キット２Ｋの内板２ａの両側端は、ケース１の支柱に設けられたブラケット５のガイド６に案内されるように挟まれ、同じく内板２ａの下端が、ケース１に設けられた固定レール７に差し込まれることによって、ちょうど内板２ａと外板２ｂが吸込口パンチング孔８，８・・・を跨いで着座するように、位置決め固定される。即ち、内板２ａの下端は、外板２ｂの下端より若干下方に長くなっている。
【００１２】
また、本発明の平型オープンショーケース１は、前記ケース１の固定レール７の下部の吸込口ダクトと商品陳列部２２との間の仕切板９に、冷気吸込用のパンチング孔１０，１０・・・が多数穿設されている。このパンチング孔１０，１０・・・は、正規の吸込口パンチング孔８，８・・・が霜で目詰まりした時、冷気が吸い込まれるようになっていて、ケース１の低圧カットを防止する役目がある。
【００１３】
【発明の効果】
以上説明したように、本発明の平型オープンショーケースによれば、次のような効果を奏する。
（１）冷気吸込口を吸込口キットで構成し、その上部位置の上下方向の開口部をキットの外板を折曲げて遮断し、この外板の折曲部先端とキットの内板の上端との間に形成される水平方向の開口部から冷気を吸い込むようにしたので、上方向から吸い込まれようとする外気を極力抑えて、水平方向，下部方向から吸い込まれる冷気を多くすることができる。この結果、外気の吸い込みを減らし、湿度の低い空気が流れ込むため、冷却器に霜が付きにくく、デフロスト時間を減らし、冷却持続が延びることになる。
（２）吸込口キットは、逆Ｌ字状の外板と平板状の内板を、それらの間の数箇所をスペーサで固着して形成したもので、吸込口キットのケースへの固定は、内板の外板の下方より長くなっている下端を、ケースに設けられた固定レールに差し込んで固定する。この為、キットの脱着が容易で、清掃がしやすい。
（３）吸込口キットを透明体にすれば、冷却性能を保ったまま、庫内の商品が外からも良く見える。
（４）ケースの固定レール下部の仕切板に、冷気吸い込み用のパンチング孔を設けたので、正規の吸込口パンチング孔が霜で目詰まりした時、この冷気吸い込み用のパンチング孔から冷気が吸い込まれるようになり（通常の時にはほとんど冷気を吸い込まない）、冷却器には常時一定の風を流すことができて、低圧カットが起こりにくくなる。従って、ケースの運転停止が頻繁に起こる事態は避けられる。
【図面の簡単な説明】
【図１】  本発明の平型オープンショーケースの断面側面図である。
【図２】  本発明の平型オープンショーケースの冷気吸込口の構造を示す一部断面側面図である。
【図３】  本発明の平型オープンショーケースの冷気吸込口の構造を示す分解斜視図である。
【図４】  従来の平型オープンショーケースの断面側面図である。
【図５】  従来の平型オープンショーケースの斜視図である。
【符号の説明】
１    平型オープンショーケース
２    冷気吸込口
２ａ    内板
２ｂ    外板
２ｃ    スペーサ
２Ｋ    吸込口キット
３    風防透明板
４    開口部
５    ブラケット
６    ガイド
７    固定レール
８    吸込口パンチング孔
９    仕切板
１０    パンチング孔
【図１】
0004270532.tif 000002
【図２】
0004270532.tif 000003
【図３】
0004270532.tif 000004
【図４】
0004270532.tif 000005
【図５】
0004270532.tif 000006